(57)【要約】【課題】本発明は、不要な回路規模の拡大や外部端子数の増大を招くことなく、リモコン制御用とＡＷＢ制御用の両方に兼用することが可能な受光モジュール、及び、これを用いた撮像装置を提供することを目的とする。【解決手段】本発明に係る受光モジュールＡは、近赤外領域にピーク感度波長を有する単一の受光素子ＰＤと、受光素子ＰＤに入射光を収束させる受光レンズ（不図示）と、受光素子ＰＤの出力信号からリモコン制御用のロジック信号ＳＬ１を検波する信号処理回路Ａ２１と、ロジック信号ＳＬ１を引き出すためのリードＴ１と、受光素子ＰＤの出力信号を自動ホワイトバランス制御用のアナログ信号ＳＡとして直接引き出すためのリードＴ３とを有して成る構成とされている。【選択図】図２
2007250812.tif 000002
【特許請求の範囲】
【請求項１】
近赤外領域にピーク感度波長を有する単一の受光素子と、該受光素子に入射光を収束させる受光レンズと、前記受光素子の出力信号からリモコン制御用の第１ロジック信号を検波する第１信号処理手段と、前記受光素子の出力信号から自動ホワイトバランス制御用の第２ロジック信号を生成する第２信号処理手段と、第１ロジック信号を引き出すための第１リードと、第２ロジック信号を引き出すための第２リードと、を有して成る受光モジュールであって、
第１信号処理手段は、前記受光素子からの電流信号を電圧信号に変換する電流／電圧変換回路と、前記電流／電圧変換回路の出力信号を増幅する増幅回路と、前記増幅回路の出力信号に帯域制限を施すバンドパスフィルタと、前記バンドパスフィルタの出力信号に検波処理を施す検波回路と、前記検波回路の出力信号に波形整形処理を施す第１コンパレータと、第１コンパレータの出力信号を第１ロジック信号として第１リードに出力する第１出力回路と、を有して成り、
第２信号処理手段は、前記増幅回路の出力信号に波形整形処理を施す第２コンパレータと、第２コンパレータの出力信号を第２ロジック信号として第２リードに出力する第２出力回路と、を有して成ることを特徴とする受光モジュール。
【請求項２】
前記受光素子の出力信号を自動ホワイトバランス制御用のアナログ信号として直接引き出すための第３リードを有して成ることを特徴とする請求項１に記載の受光モジュール。
【請求項３】
第２信号処理手段は、第２コンパレータと第２出力回路との間に、第２コンパレータの出力信号が所定の確認期間に亘って所定の論理に維持されたときにのみ、その出力信号を前記所定の論理に変遷するマスク回路を有して成ることを特徴とする請求項１または請求項２に記載の受光モジュール。
【請求項４】
前記マスク回路は、第２コンパレータの出力信号が前記所定の論理であるときに充電され、そうでないときには放電されるキャパシタと；第２コンパレータの出力信号が前記確認期間に亘って前記所定の論理に維持されたときに、前記キャパシタの充電電圧レベルが閾値電圧レベルに達して、その出力信号が前記所定の論理に変遷される第３コンパレータと；を有して成ることを特徴とする請求項３に記載の受光モジュール。
【請求項５】
近赤外領域にピーク感度波長を有する単一の受光素子と、該受光素子に入射光を収束させる受光レンズと、前記受光素子の出力信号からリモコン制御用のロジック信号を検波する信号処理手段と、前記ロジック信号を引き出すためのリードと、前記受光素子の出力信号を自動ホワイトバランス制御用のアナログ信号として直接引き出すためのリードと、を有して成ることを特徴とする受光モジュール。
【請求項６】
前記受光素子は、ＰＩＮフォトダイオードであることを特徴とする請求項１〜請求項５のいずれかに記載の受光モジュール。
【請求項７】
請求項１〜６のいずれかに記載の受光モジュールと；前記受光モジュールの出力信号に基づいて、装置各部のリモコン制御、並びに、撮像時の自動ホワイトバランス制御を行うマイコンと；を有して成ることを特徴とする撮像装置。
【発明の詳細な説明】
【技術分野】
【０００１】
本発明は、受光モジュール及びこれを用いた撮像装置に関するものであり、特に、受光モジュールの多機能化に関するものである。
【背景技術】
【０００２】
従来より、ディジタルビデオカメラやディジタルスチルカメラなどの撮像装置では、装置の遠隔操作のためにリモコン光（一般には近赤外光）を受光するリモコン制御用受光モジュールと、自動ホワイトバランス制御（以下、ＡＷＢ［Automatic White Balance］制御と呼ぶ）のために周囲光を受光するＡＷＢ制御用受光モジュールと、が個別に設けられていた。そのため、従来の撮像装置では、セットの２ヶ所に受光モジュールを備え付けねばならず、その実装スペースや配置エリアが大きくなっていた。一方、両方の受光モジュールをセットの１ヶ所にまとめて設けた場合には、その受光窓のサイズ（いわゆるウィンドウサイズ）が大きくなっていた。
【０００３】
このように、従来の撮像装置では、個別に設けられたリモコン制御用受光モジュールとＡＷＢ制御用受光モジュールによって、セットの小型化が阻害されたり、セットのデザインが制約される形となっていた。
【０００４】
なお、本願発明に関連するその他の従来技術（受光モジュールの多機能化）として、特許文献１では、ＩｒＤＡ［Infrared Data Association］コントロール用センサと、ＩｒＤＡデータ用センサと、を１個のパッケージ内に搭載するとともに、そのパッケージ表面にＩｒＤＡコントロール信号用の受光レンズ部と、ＩｒＤＡデータ用の受光レンズ部と、を備えた赤外線データ通信モジュールが開示・提案されている。
【０００５】
また、特許文献２では、日射センサ用受光素子と、照度センサ用受光素子と、をケースとキャップとしての光学レンズから成る同一のパッケージ内に配置した光検出器が開示・提案されている。
【０００６】
また、特許文献３では、少なくとも２つの異なる通信形態（例えばＩｒＤＡ通信とリモートコントロール通信）の入力データを受信する光半導体装置であって、唯一の受光素子と、一方の通信形態の場合、該受光素子からの出力信号を処理する第１信号処理回路と、他方の通信形態の場合、該受光素子からの出力信号を処理する第２信号処理回路と、を備える光半導体装置が開示・提案されている。
【０００７】
【特許文献１】特開２００３−２３４４９８号公報
【特許文献２】特開２００５−２０７８８９号公報
【特許文献３】特開２０００−１３８６３６号公報
【発明の開示】
【発明が解決しようとする課題】
【０００８】
確かに、特許文献１〜３の従来技術であれば、単一の受光モジュールに複数の機能を持たせることができる。
【０００９】
しかしながら、特許文献１〜２の従来技術は、単一の受光モジュールに複数の受光素子をパッケージングすることで、その多機能化を実現した構成であった。すなわち、特許文献１〜２の従来技術では、受光モジュールの多機能化に際して、あくまで、用途毎に複数の受光素子が用いられていた。そのため、特許文献１〜２の従来技術は、受光モジュールの小型化やウィンドウサイズの縮小を図る上で、必ずしも最善の構成とは言えなかった。
【００１０】
一方、特許文献３の従来技術は、特許文献１〜２の従来技術と異なり、単一の受光素子を用いて、受光モジュールの多機能化を実現する技術である。しかしながら、特許文献３の従来技術は、あくまで、通信形態の異なる複数の入力データを受信する手段として、単一の受光素子を兼用するための技術であり、入力データの通信形態に応じてその信号処理回路を切り替えるためのセレクタを必要とする構成、延いては、該セレクタの切替信号を受け付けるための外部端子を必要とする構成とされていた。
【００１１】
このように、特許文献３の従来技術は、単一の受光モジュールをリモコン制御用とＡＷＢ制御用の両方に兼用するための本願発明とは、その本質的構成を異にするものであり、受光モジュールの多機能化に際して、回路規模の拡大や外部端子数の増大が招来されるため、受光モジュールやこれを用いたセットの小型化を図るという観点から見れば、必ずしも最善の構成とは言えなかった。
【００１２】
本発明は、上記の問題点に鑑み、不要な回路規模の拡大や外部端子数の増大を招くことなく、リモコン制御用とＡＷＢ制御用の両方に兼用することが可能な受光モジュール、及び、これを用いた撮像装置を提供することを目的とする。
【課題を解決するための手段】
【００１３】
上記目的を達成すべく、本発明に係る受光モジュールは、近赤外領域にピーク感度波長を有する単一の受光素子と、該受光素子に入射光を収束させる受光レンズと、前記受光素子の出力信号からリモコン制御用の第１ロジック信号を検波する第１信号処理手段と、前記受光素子の出力信号から自動ホワイトバランス制御用の第２ロジック信号を生成する第２信号処理手段と、第１ロジック信号を引き出すための第１リードと、第２ロジック信号を引き出すための第２リードと、を有して成る受光モジュールであって、第１信号処理手段は、前記受光素子からの電流信号を電圧信号に変換する電流／電圧変換回路と、前記電流／電圧変換回路の出力信号を増幅する増幅回路と、前記増幅回路の出力信号に帯域制限を施すバンドパスフィルタと、前記バンドパスフィルタの出力信号に検波処理を施す検波回路と、前記検波回路の出力信号に波形整形処理を施す第１コンパレータと、第１コンパレータの出力信号を第１ロジック信号として第１リードに出力する第１出力回路と、を有して成り、第２信号処理手段は、前記増幅回路の出力信号に波形整形処理を施す第２コンパレータと、第２コンパレータの出力信号を第２ロジック信号として第２リードに出力する第２出力回路と、を有して成る構成（第１の構成）とされている。
【００１４】
なお、上記第１の構成から成る受光モジュールは、前記受光素子の出力信号を自動ホワイトバランス制御用のアナログ信号として直接引き出すための第３リードを有して成る構成（第２の構成）にするとよい。
【００１５】
また、上記第１または第２の構成から成る受光モジュールにおいて、第２信号処理手段は、第２コンパレータと第２出力回路との間に、第２コンパレータの出力信号が所定の確認期間に亘って所定の論理に維持されたときにのみ、その出力信号を前記所定の論理に変遷するマスク回路を有して成る構成（第３の構成）にするとよい。
【００１６】
また、上記第３の構成から成る受光モジュールにおいて、前記マスク回路は、第２コンパレータの出力信号が前記所定の論理であるときに充電され、そうでないときには放電されるキャパシタと；第２コンパレータの出力信号が前記確認期間に亘って前記所定の論理に維持されたときに、前記キャパシタの充電電圧レベルが閾値電圧レベルに達して、その出力信号が前記所定の論理に変遷される第３コンパレータと；を有して成る構成（第４の構成）にするとよい。
【００１７】
また、本発明に係る受光モジュールは、近赤外領域にピーク感度波長を有する単一の受光素子と、該受光素子に入射光を収束させる受光レンズと、前記受光素子の出力信号からリモコン制御用のロジック信号を検波する信号処理手段と、前記ロジック信号を引き出すためのリードと、前記受光素子の出力信号を自動ホワイトバランス制御用のアナログ信号として直接引き出すためのリードと、を有して成る構成（第５の構成）としてもよい。
【００１８】
なお、上記第１〜第５いずれかの構成から成る受光モジュールにおいて、前記受光素子は、ＰＩＮフォトダイオードである構成（第６の構成）にするとよい。
【００１９】
また、本発明に係る撮像装置は、上記第１〜第６いずれかの構成から成る受光モジュールと；前記受光モジュールの出力信号に基づいて、装置各部のリモコン制御、並びに、撮像時の自動ホワイトバランス制御を行うマイコンと；を有して成る構成（第７の構成）とされている。
【発明の効果】
【００２０】
本発明によれば、不要な回路規模の拡大や外部端子数の増大を招くことなく、リモコン制御用とＡＷＢ制御用の両方に兼用することが可能な受光モジュールを提供することが可能となり、延いては、これを用いた撮像装置の小型化やウィンドウサイズの縮小を図り、そのデザインの自由度を高めることが可能となる。
【発明を実施するための最良の形態】
【００２１】
図１は、本発明に係る受光モジュールの一構造例を示す上面図（ａ）、並びに、垂直断面図（ｂ）（上面図（ａ）中のＸ−Ｘ’断面図）である。
【００２２】
本図（ａ）、（ｂ）に示す通り、本発明に係る受光モジュールＡは、受光素子が形成される第１チップＡ１と、信号処理回路部が形成される第２チップＡ２と、両チップＡ１〜Ａ２を電気的に接続するワイヤＡ３と、その上面に両チップＡ１〜Ａ２を載置するための配線パターン（フレームやアイランド）が形成され、その下面にセットとの電気的接続を確立するためのリードＴ１〜Ｔ５が形成された基板Ａ４と、両チップＡ１〜Ａ２及びワイヤＡ３を被覆する透光性の樹脂封止体Ａ５と、を有して成る面実装型モジュールである。
【００２３】
なお、樹脂封止体Ａ５には、チップＡ１に形成された受光素子に入射光を収束させるための受光レンズ部Ａ５ａが形成されている。
【００２４】
続いて、受光モジュールＡの内部回路について詳細に説明する。
【００２５】
まず、図２を参照しながら、受光モジュールＡの内部回路の第１実施形態について、詳細な説明を行う。
【００２６】
図２は、受光モジュールＡの内部回路の第１実施形態を示すブロック図（一部に回路図を含む）である。
【００２７】
本実施形態の受光モジュールＡにおいて、第１チップＡ１には、近赤外領域にピーク感度波長を有する単一のＰＩＮフォトダイオードＰＤが形成されている。
【００２８】
ここで、近赤外領域とは、一般に７００〜２０００［ｎｍ］の波長領域のことを言い、リモコン通信用には、主として８５０〜１０５０［ｎｍ］のピーク感度波長を有する受光素子が使用されている。なお、本実施形態の受光モジュールＡでは、リモートコントローラ（不図示）から放射されるリモコン光の波長に合わせて、９５０［ｎｍ］のピーク感度波長を有するＰＩＮフォトダイオードＰＤが使用されている。
【００２９】
このように、受光素子としてＰＩＮフォトダイオードＰＤを用いる構成であれば、ＰＮフォトダイオードを用いる構成に比べて、その応答速度を高めることが可能となる。
【００３０】
また、本実施形態の受光モジュールＡにおいて、第２チップＡ２には、ＰＩＮフォトダイオードＰＤの出力信号からリモコン制御用のロジック信号ＳＬ１を検波する第１信号処理回路部Ａ２１と、ＰＩＮフォトダイオードＰＤの出力信号からＡＷＢ制御用のロジック信号ＳＬ２を生成する第２信号処理回路部Ａ２２と、が形成されている。
【００３１】
第１信号処理回路部Ａ２１は、ＰＩＮフォトダイオードＰＤからの電流信号を電圧信号に変換する電流／電圧変換回路ＩＶと、電流／電圧変換回路ＩＶの出力信号を所定の利得で増幅する増幅回路ＡＭＰと、増幅回路ＡＭＰの出力信号に帯域制限を施すバンドパスフィルタＢＰＦと、バンドパスフィルタＢＰＦの出力信号に検波処理（キャリア成分の除去処理）を施す検波回路ＤＥＴと、検波回路ＤＥＴの出力信号に波形整形処理を施すコンパレータＣＭＰ１と、コンパレータＣＭＰ１の出力信号をリモコン制御用のロジック信号ＳＬ１としてリードＴ１に出力する出力回路Ｏ１と、を有して成る。
【００３２】
なお、第１信号処理回路部Ａ２１において、出力回路Ｏ１は、ｎｐｎ型バイポーラトランジスタＱ１と抵抗Ｒ１から成るオープンコレクタ形式とされている。
【００３３】
出力回路Ｏ１の接続関係について、より具体的に述べると、トランジスタＱ１のベースは、コンパレータＣＭＰ１の出力端に接続されている。トランジスタＱ１のエミッタは、接地電圧ＧＮＤが印加されるリードＴ５に接続されている。トランジスタＱ１のコレクタは、第１信号処理回路部Ａ２１の出力端として、リードＴ１に接続される一方、抵抗Ｒ１を介して、電源電圧Ｖｃｃが印加されるリードＴ４にも接続されている。
【００３４】
また、第１信号処理回路部Ａ２１において、電流／電圧変換回路ＩＶと増幅回路ＡＭＰとの間には、カップリングキャパシタＣ１が接続されている。
【００３５】
また、第１信号処理回路部Ａ２１において、コンパレータＣＭＰ１としては、ロジック信号ＳＬ１の発振を防止すべく、２つの閾値電圧レベルを有するヒステリシスコンパレータが用いられている。
【００３６】
上記構成から成る第１信号処理回路部Ａ２１では、図３（ａ）に示すように、ＰＩＮフォトダイオードＰＤの出力信号（延いては、増幅回路ＡＭＰの出力信号）からリモコン制御用のロジック信号ＳＬ１が検波され、当該ロジック信号ＳＬ１がリードＴ１を介してモジュール外へと送出される。
【００３７】
一方、第２信号処理回路部Ａ２２は、増幅回路ＡＭＰの出力信号に波形整形処理を施すコンパレータＣＭＰ２と、コンパレータＣＭＰ２の出力信号をＡＷＢ制御用のロジック信号ＳＬ２としてリードＴ２に出力する出力回路Ｏ２と、を有して成る。
【００３８】
なお、第２信号処理回路部Ａ２２において、出力回路Ｏ２は、ｎｐｎ型バイポーラトランジスタＱ２と抵抗Ｒ２から成るオープンコレクタ形式とされている。
【００３９】
出力回路Ｏ２の接続関係について、より具体的に述べると、トランジスタＱ２のベースは、コンパレータＣＭＰ２の出力端に接続されている。トランジスタＱ２のエミッタは、接地電圧ＧＮＤが印加されるリードＴ５に接続されている。トランジスタＱ２のコレクタは、第２信号処理回路部Ａ２２の出力端として、リードＴ２に接続される一方、抵抗Ｒ２を介して、電源電圧Ｖｃｃが印加されるリードＴ４にも接続されている。
【００４０】
また、第２信号処理回路部Ａ２２において、コンパレータＣＭＰ２としては、ロジック信号ＳＬ２の発振を防止すべく、２つの閾値電圧レベルを有するヒステリシスコンパレータが用いられている。なお、コンパレータＣＭＰ２の閾値電圧レベルは、ＡＷＢ制御におけるホワイトバランスレベルを決定するパラメータとなるので、当該閾値電圧レベルについては、レーザトリミング技術などを用いて、適宜調整可能な構成にしておくとよい。
【００４１】
上記構成から成る第２信号処理回路部Ａ２２では、図３（ｂ）に示すように、ＰＩＮフォトダイオードＰＤの出力信号（延いては、増幅回路ＡＭＰの出力信号）がコンパレータＣＭＰ２の閾値電圧レベルに達しているか否かに応じて、ＡＷＢ制御用のロジック信号ＳＬ２の論理が変遷されることになる。より具体的に述べると、ＰＩＮフォトダイオードＰＤへの入射光に近赤外領域の波長成分があまり含まれていない場合には、ロジック信号ＳＬ２の論理がローレベルとなり、逆に、近赤外領域の波長成分が多く含まれている場合には、ロジック信号ＳＬ２の論理がハイレベルとなる。
【００４２】
なお、近赤外領域の波長成分は、屋外光（太陽光）に多く含まれるものであり、屋内光（蛍光灯の放射光）には殆ど含まれていない。従って、撮像装置でロジック信号ＳＬ２をモニタすれば、撮像時のホワイトバランスを屋外用と屋内用のいずれに設定すればよいかを簡易的に判断することが可能となる。
【００４３】
このように、本発明に係る受光モジュールＡは、不要な回路規模の拡大や外部端子数の増大を招くことなく、リモコン制御用とＡＷＢ制御用の両方に兼用することができる。
【００４４】
言い換えれば、本発明に係る受光モジュールＡは、近赤外領域のリモコン光を受信するリモコン受信モジュールにおいて、近赤外領域の波長成分の受光有無をＡＷＢ制御に利用できることに着目した本願発明者が、セレクタ等の信号切替手段を何ら用いることなく、単一の受光モジュールをリモコン制御用とＡＷＢ制御用の両方に兼用すべく、鋭意研究を重ねた結果として想到したベストモードであると言える。
【００４５】
また、本実施形態の受光モジュールＡは、上記構成要素のほか、ＰＩＮフォトダイオードＰＤの出力信号をＡＷＢ制御用のアナログ信号ＳＡとして直接引き出すためのリードＴ３を有して成る。このような構成とすることにより、先述の第２信号処理回路部Ａ２２に相当する回路要素（後述する図６のロジック信号生成部Ｂ１４）が受光モジュールＡの外部に設けられる形となるので、ＡＷＢ制御におけるホワイトバランスレベルの調整がより容易かつ任意となる。
【００４６】
次に、図４を参照しながら、受光モジュールＡの内部回路の第２実施形態について、詳細な説明を行う。
【００４７】
図４は、受光モジュールＡの内部回路の第２実施形態を示すブロック図（一部に回路図を含む）である。
【００４８】
なお、本実施形態の受光モジュールＡは、先出の第１実施形態とほぼ同様の構成から成る。そこで、第１実施形態と同様の構成要素については、図２と同一の符号を付すことで説明を省略し、以下では、本実施形態の特徴部分（第２信号処理回路部Ａ２２のマスク回路ＭＳＫ）について、重点的な説明を行うことにする。
【００４９】
本図に示すように、本実施形態の受光モジュールＡにおいて、第２信号処理回路部Ａ２２は、コンパレータＣＭＰ２と出力回路Ｏ２との間に、コンパレータＣＭＰ２の出力信号が所定の確認期間ｔに亘ってハイレベルに維持されたときにのみ、その出力信号をハイレベルに変遷するマスク回路ＭＳＫを有して成る。
【００５０】
マスク回路ＭＳＫは、定電流源Ｉ１と、Ｐチャネル型電界効果トランジスタＱ３と、キャパシタＣ２と、コンパレータＣＭＰ３と、を有して成る。
【００５１】
トランジスタＱ３のゲートは、コンパレータＣＭＰ２の出力端に接続されている。トランジスタＱ３のソースは、定電流源Ｉ１を介してリードＴ４に接続されている。トランジスタＱ３のドレインは、リードＴ５に接続されている。キャパシタＣ２の一端は、定電流源Ｉ１の出力端に接続される一方、コンパレータＣＭＰ３の入力端にも接続されている。キャパシタＣ２の他端は、リードＴ５に接続されている。コンパレータＣＭＰ３の出力端は、出力回路Ｏ２の入力端（トランジスタＱ２のベース）に接続されている。
【００５２】
なお、定電流源Ｉ１の電流値、キャパシタＣ２の容量値、並びに、コンパレータＣＭＰ３の閾値電圧レベルは、上記の確認期間ｔ（キャパシタＣ２の充電電圧レベルがコンパレータＣＭＰ３の閾値電圧レベルに達するまでの所要期間）を決定するパラメータとなるので、これらのパラメータについては、リモコン信号のパルス幅や周波数に基づいて、適宜設定しておく必要がある。
【００５３】
図５は、ロジック信号ＳＬ２についてリモコン光がマスクされる様子を示す波形図である。なお、本図（ａ）は屋内でリモコン光が入射された場合を示しており、本図（ｂ）は屋外光が入射された場合を示している。
【００５４】
まず、本図（ａ）の場合について詳細に説明する。屋内でリモコン光が入射されていない状態では、コンパレータＣＭＰ２の出力信号がローレベルとなっているため、トランジスタＱ３はオン状態となり、キャパシタＣ２は放電状態となる。従って、キャパシタＣ２の充電電圧レベルがコンパレータＣＭＰ３の閾値電圧レベルに達することはなく、ロジック信号ＳＬ２の論理は、ローレベルに維持される。
【００５５】
ここで、リモコン光の入射によってコンパレータＣＭＰ２の出力信号が意図せずハイレベルとなった場合、トランジスタＱ３は一時的にオフ状態となり、キャパシタＣ２の充電が開始される。しかしながら、リモコン光は、所定の周波数（一般に数十［ｋＨｚ］）でオン／オフを繰り返すものであるため、コンパレータＣＭＰ２の出力信号が所定の確認期間ｔに亘ってハイレベルに維持されることはなく、トランジスタＱ３は、キャパシタＣ２の充電電圧レベルがコンパレータＣＭＰ３の閾値電圧レベルに未達のまま、オン状態に戻される。従って、コンパレータＣＭＰ３の出力信号（延いてはロジック信号ＳＬ２）の論理は、ローレベルに維持された状態、すなわち、リモコン光がマスクされた状態となる。
【００５６】
次に、本図（ｂ）の場合について詳細に説明する。屋外光が入射されてコンパレータＣＭＰ２の出力信号がハイレベルとなった場合、トランジスタＱ３はオフ状態となり、キャパシタＣ２の充電が開始される。そして、コンパレータＣＭＰ２の出力信号が所定の確認期間ｔに亘ってハイレベルに維持され、キャパシタＣ２の充電電圧レベルがコンパレータＣＭＰ３の閾値電圧レベルまで達すると、コンパレータＣＭＰ３の出力信号（延いてはロジック信号ＳＬ３）がローレベルからハイレベルに変遷される。
【００５７】
このような構成から成るマスク回路ＭＳＫを挿入すれば、第２チップＡ２の回路規模をほとんど拡大することなく、ロジック信号ＳＬ２の精度を向上することが可能となる。
【００５８】
最後に、本発明に係る受光モジュールＡを備えた撮像装置（ディジタルビデオカメラやディジタルスチルカメラ）について、図６を参照しながら詳細に説明する。
【００５９】
図６は、受光モジュールＡを備えた撮像装置の一例を示すブロック図である。
【００６０】
本図に示すように、本実施形態の撮像装置は、本発明に係る受光モジュールＡのほか、撮像レンズＢ１と、撮像素子Ｂ２と、アナログ信号処理部Ｂ３と、アナログ／ディジタル変換部Ｂ４と、ディジタル信号処理部Ｂ５と、記録メディアＢ６と、ディジタル／アナログ変換部Ｂ７と、表示部Ｂ８と、操作部Ｂ９と、マイコンＢ１０と、タイミングジェネレータＢ１１と、ビデオドライバＢ１２と、サーボドライバＢ１３と、ロジック信号生成部Ｂ１４と、受光窓Ｂ１５と、を有して成る。
【００６１】
撮像レンズＢ１は、被写体の撮像光を撮像素子Ｂ２の受光面に結像する手段である。
【００６２】
撮像素子Ｂ２は、ＣＭＯＳ［Complementary Metal-Oxide Semiconductor］イメージセンサや、ＣＣＤ［Charge Coupled Devices］イメージセンサなど、その受光面に結像された撮像光を電気信号（アナログ撮像信号）に変換するための手段である。
【００６３】
アナログ信号処理部Ｂ３は、アナログ撮像信号に対してアナログ処理（サンプルホールド処理、ゲイン調整処理、ノイズ除去処理など）を施す手段であり、ＡＧＣ［Auto Gain Control］回路やＣＤＳ［Correlated Double Sampling］回路などを含んで成る。
【００６４】
アナログ／ディジタル変換部Ｂ４は、アナログ処理済みのアナログ撮像信号をディジタル撮像信号に変換する手段である。
【００６５】
ディジタル信号処理部Ｂ５は、マイコンＢ１０からの指示に基づいて、ディジタル撮像信号に所定のディジタル処理（ＡＷＢ制御処理、ガンマ補正処理などの画像前処理）を施し、記録メディアＢ６への格納や表示部Ｂ８での再生に適したディジタル映像信号を生成する手段である。
【００６６】
記録メディアＢ６は、ディジタル映像信号を格納するための手段である。なお、記録メディアＢ６としては、ディジタルビデオカセット、ＤＶＤ−Ｒ、ＤＶＤ−ＲＷ、ＤＶＤ−ＲＡＭ、ハードディスクドライブ、或いは、半導体メモリ（例えばフラッシュメモリ）などを用いることができる。
【００６７】
ディジタル／アナログ変換部Ｂ７は、ディジタル映像信号をアナログ映像信号に変換する手段である。
【００６８】
表示部Ｂ８は、アナログ映像信号のプレビュー表示や装置情報などの表示を行うユーザインタフェイス手段である。
【００６９】
操作部Ｂ９は、電源のオン／オフ操作や、撮影モードと再生モードの切替操作など、各種操作を受け付けるためのユーザインタフェイス手段である。
【００７０】
マイコンＢ１０は、装置各部の統括制御を行う手段であり、特に、本願発明に関連する動作としては、受光モジュールＡの出力信号に基づいて、装置各部のリモコン制御、並びに、撮像時のＡＷＢ制御を行う手段として機能する。
【００７１】
例えば、上記リモコン制御について、マイコンＢ１０は、受光モジュールＡからのロジック信号ＳＬ１に基づいて、表示部Ｂ８や外部モニタ（図示せず）における再生動作の開始／停止や早送り／巻戻しを行うように、ディジタル信号処理部Ｂ５に指示を送る。
【００７２】
また、上記ＡＷＢ制御について、マイコンＢ１０は、受光モジュールＡからのロジック信号ＳＬ２、或いは、ロジック信号生成部Ｂ１４からのロジック信号ＳＬ３に基づいて、その論理がハイレベルであれば、撮像時のホワイトバランスを屋外用とするように、逆にローレベルであれば、ホワイトバランスを屋内用とするように、ディジタル信号処理部Ｂ５に指示を送る。
【００７３】
タイミングジェネレータＢ１１は、マイコンＢ１０からの指示に基づいて、アナログ信号処理部Ｂ３、アナログ／ディジタル変換部Ｂ４、ディジタル信号処理部Ｂ５、及び、ビデオドライバＢ１２で用いられる同期信号を生成するための手段である。
【００７４】
ビデオドライバＢ１２は、タイミングジェネレータＢ１１の同期信号に基づいて、撮像素子Ｂ２の駆動制御を行う手段である。
【００７５】
サーボドライバＢ１３は、マイコンＢ１０からの指示に基づいて、撮像レンズＢ１のフォーカス制御、ズーム制御、アイリス制御などを行う手段である。
【００７６】
ロジック信号生成部Ｂ１４は、受光モジュールＡからＡＷＢ制御用のアナログ信号ＳＡの入力を受け、マイコンＢ１０での処理に適したロジック信号ＳＬ３を生成する手段である。なお、ロジック信号生成部Ｂ１４は、先出の図２や図４で示した第２信号処理回路部Ａ２２と同様の構成（さらに言えば、その前段に第１信号処理回路部Ａ２１の電流／電圧変換回路ＩＶ及び増幅回路ＡＭＰを加えた構成）とすればよい。また、受光モジュールＡからＡＷＢ制御用のロジック信号ＳＬ２をマイコンＢ１０に直接入力する場合には、ロジック信号生成部Ｂ１４を設ける必要はない。
【００７７】
受光窓Ｂ１５は、リモコン光及び周囲光を受光モジュールＡのＰＩＮフォトダイオードＰＤに導くための導光手段である。
【００７８】
このように、本発明に係る受光モジュールＡを備えた撮像装置であれば、リモコン制御用とＡＷＢ制御用の両方に単一の受光モジュールＡを兼用することができるので、従来構成に比べて、装置の小型化や受光窓Ｂ１５の縮小を図るとともに、そのデザインの自由度を高めることが可能となる。
【００７９】
なお、上記の実施形態では、撮像装置の一例として、ディジタルビデオカメラやディジタルスチルカメラを挙げて説明を行ったが、本発明の適用対象はこれに限定されるものではなく、例えば、カメラ機能付きの携帯電話端末などにも適用することが可能である。
【００８０】
また、本発明の構成は、上記実施形態のほか、発明の主旨を逸脱しない範囲で種々の変更を加えることが可能である。
【００８１】
例えば、上記の実施形態では、受光モジュール内において、受光素子と信号処理回路部とを別個のチップに分離形成した構成を例に挙げて説明を行ったが、本発明の構成はこれに限定されるものではなく、両者を同一のチップに形成しても構わない。
【００８２】
また、上記の実施形態では、ＡＷＢ制御用のロジック信号ＳＬ２と、同じくＡＷＢ制御用のアナログ信号ＳＡをいずれも出力することが可能な受光モジュールＡを例に挙げて説明を行ったが、本発明の構成はこれに限定されるものではなく、いずれか一方のみを出力する受光モジュールとしても構わない。
【産業上の利用可能性】
【００８３】
本発明は、ディジタルビデオカメラやディジタルスチルカメラ、さらには、カメラ機能付き携帯電話端末などの撮像装置に好適な技術であり、特に、その小型化やデザインの自由度向上を図る上で有用な技術である。
【図面の簡単な説明】
【００８４】
【図１】は、本発明に係る受光モジュールの一構造例を示す上面図（ａ）並びに垂直断面図（ｂ）である。
【図２】は、受光モジュールＡの内部回路の第１実施形態を示すブロック図である。
【図３】は、ロジック信号ＳＬ１〜ＳＬ２が生成される様子を示す波形図である。
【図４】は、受光モジュールＡの内部回路の第２実施形態を示すブロック図である。
【図５】は、リモコン光がマスクされる様子を示す波形図である。
【図６】は、受光モジュールＡを備えた撮像装置の一例を示すブロック図である。
【符号の説明】
【００８５】
Ａ    受光モジュール
Ａ１    第１チップ
Ａ２    第２チップ
Ａ２１    第１信号処理回路部
Ａ２２    第２信号処理回路部
Ａ３    ワイヤ
Ａ４    基板
Ａ５    樹脂封止体
Ａ５ａ    受光レンズ部
Ｂ１    撮像レンズ
Ｂ２    撮像素子
Ｂ３    アナログ信号処理部
Ｂ４    アナログ／ディジタル変換部
Ｂ５    ディジタル信号処理部
Ｂ６    記録メディア
Ｂ７    ディジタル／アナログ変換部
Ｂ８    表示部
Ｂ９    操作部
Ｂ１０    マイコン
Ｂ１１    タイミングジェネレータ
Ｂ１２    ビデオドライバ
Ｂ１３    サーボドライバ
Ｂ１４    ロジック信号生成部
Ｂ１５    受光窓
Ｔ１〜Ｔ５    リード
ＰＤ    ＰＩＮフォトダイオード
ＩＶ    電流／電圧変換回路
ＡＭＰ    増幅回路
ＢＰＦ    バンドパスフィルタ
ＤＥＴ    検波回路
ＣＭＰ１〜ＣＭＰ３    コンパレータ（ヒステリシスコンパレータ）
Ｏ１〜Ｏ２    出力回路
ＭＳＫ    マスク回路
Ｒ１〜Ｒ２    抵抗
Ｃ１〜Ｃ２    キャパシタ
Ｑ１〜Ｑ２    ｎｐｎ型バイポーラトランジスタ
Ｑ３    Ｐチャネル型電界効果トランジスタ
Ｉ１    定電流源
【図１】
2007250812.tif 000003
【図２】
2007250812.tif 000004
【図３】
2007250812.tif 000005
【図４】
2007250812.tif 000006
【図５】
2007250812.tif 000007
【図６】
2007250812.tif 000008